(57)【要約】【課題】  スコップ等の他の器具を用いずにペットの汚物処理を不快感を伴うことなく行なうことができるとともに、運搬等の廃棄過程においても収納してある汚物が外部に露出しないペット用汚物収納袋を提供することを課題とする。【解決手段】  汚物収納袋１０は、３枚の柔軟性不透水シート材１，２，３によって構成されている。同一幅の３枚のシート材１，２，３の側辺部は接合されており、汚物収納袋１０の側辺部１０ａ，１０ｂを形成している。シート材３の一端側３ａはシート材２と接合されており第１の袋体５を形成し、シート材３の他端側３ｂはシート材１と接合されており第２の袋体６を形成している。シート材１の表面側の面には、柔軟性を有する紙製の緩衝部材４が配設されている。【選択図】  図１
0003171086.tif 000002
【実用新案登録請求の範囲】
【請求項１】
同一幅で略同一の長さを有する第１，第２，第３の３枚の柔軟性不透水シート材から構
成されるペット用汚物収納袋であって、
前記第１，第２，第３の柔軟性不透水シート材のそれぞれの幅方向の両端に位置する側
辺部が互いに一致するようにこの順で順次重ねられた状態で、当該３枚の柔軟性不透水シート材の前記側辺部が全て接合され、
前記第２の柔軟性不透水シート材の長さ方向の一端側が、これと対向する前記第３の柔
軟性不透水シート材の一端側と前記幅方向に沿って全辺に亘り接合され、当該第２，第３の柔軟性不透水シート材によって第１の袋体が形成され、
前記第３の柔軟性不透水シート材の前記長さ方向の他端側が、これと対向している前記第１の柔軟性不透水シート材と前記幅方向に沿って全辺に亘り接合され、当該第１，第３の柔軟性不透水シート材によって前記第１の袋体を含む第２の袋体が形成され、
前記第１の柔軟性不透水シート材の表面側には、柔軟性を有する紙製の緩衝部材が配設されていることを特徴とするペット用汚物収納袋。
【請求項２】
前記第１，第２，第３の３枚の柔軟性不透水シート材は、該柔軟性不透水シート材と同
じ幅の帯状の柔軟性不透水シート材にその長さ方向に沿って前記第１，前記第３，前記第２の順で順次連続して形成されており、前記ペット用汚物収納袋は、前記帯状の柔軟性不透水シート材を、前記第１の柔軟性不透水シート材の前記緩衝部材が配設されている面が表面側となるように、前記第２の柔軟性不透水シート材を前記第３の柔軟性不透水シート材に重なるように折り畳み、当該折り畳んだ前記第２の柔軟性不透水シート材の上に重なるように前記第１の柔軟性不透水シート材を折り畳んだ状態で、当該３枚の柔軟性不透水シート材の前記側辺部が全て接合されることによって形成されていることを特徴とする請求項１に記載のペット用汚物収納袋。
【請求項３】
前記柔軟性不透水シート材は、焼却炉によって焼却処分が可能な成分の材料によって構成されていることを特徴とする請求項１または請求項２に記載のぺット用汚物収納袋。
【考案の詳細な説明】
【技術分野】
【０００１】
本考案は、犬等のペットが排泄する糞等の汚物を収納して廃棄することができるペット用汚物収納袋に関するものである。
【背景技術】
【０００２】
現在、犬等のペットと散歩をする場合、図６に示したように、ペットＰの飼い主Ｍは、散歩中にペットＰが排泄する糞等の汚物を収納する袋Ｂを持参しているのが一般的である。
【０００３】
このようなペットの飼い主ＭがペットＰの汚物を処理する場合、従来は以下の２つの方法が主に用いられている。
【０００４】
一つの方法は、図７に示すように糞等の汚物Ｄを持参したスコップＳで掬い、その掬った汚物Ｄを図８（ａ）に示すように持参した袋Ｂ内に移して、その後、図８（ｂ）に示すように袋Ｂの開口部を結んだ状態にしてから、袋Ｂと共に汚物Ｄを廃棄する方法である。
【０００５】
他の方法は、図９（ａ）に示すように汚物Ｄに持参したティシュペーパーＴを被せ、一方の手Ｈ１を袋Ｂ中に挿入して（図９（ｂ）参照）、図１０（ａ）に示すように一方の手Ｈ１で、袋ＢとティシュペーパーＴを介して汚物Ｄを掴み、図１０（ｂ）に示すように他方の手Ｈ２で袋Ｂを裏返しにして図１１（ａ）に示すように袋Ｂ中に汚物ＤとティシュペーパーＴとが収納された状態にしてから、図１１（ｂ）に示すように袋Ｂの開口部を結んだ状態にして廃棄する方法である。この方法において、汚物ＤにティシュペーパーＴを被せるのは、一方の手Ｈ１で汚物Ｄを掴んだ際に手Ｈ１に感じる不快感を緩和させるためである。
【考案の概要】
【考案が解決しようとする課題】
【０００６】
以上の従来の２つの汚物処理の方法においては、廃棄する際に袋Ｂの開口部が結ばれているために、ゴミ収集車の機械等によって汚物Ｄを収納した袋Ｂが圧迫された場合には、袋Ｂが破裂して収納してある汚物Ｄが外部に露出してしまうという問題が生じる。
【０００７】
さらに、従来の汚物処理の方法においては、汚物を収納する袋Ｂの他に、スコップＳやティシュペーパーＴを持参する必要があり、このようなスコップＳやティシュペーパーＴを忘れた場合には、飼い主ＭはペットＰの汚物の処理に際して不快な思いをしなければならないという問題もあった。
【課題を解決するための手段】
【０００８】
以上の問題を解消するために、本考案は、同一幅で略同一の長さを有する第１，第２，第３の３枚の柔軟性不透水シート材から構成されるペット用汚物収納袋であって、前記第１，第２，第３の柔軟性不透水シート材のそれぞれの幅方向の両端に位置する側辺部が互いに一致するようにこの順で順次重ねられた状態で、当該３枚の柔軟性不透水シート材の前記側辺部が全て接合され、前記第２の柔軟性不透水シート材の長さ方向の一端側が、これと対向する前記第３の柔軟性不透水シート材の一端側と前記幅方向に沿って全辺に亘り接合され、当該第２，第３の柔軟性不透水シート材によって第１の袋体が形成され、前記第３の柔軟性不透水シート材の前記長さ方向の他端側が、これと対向している前記第１の柔軟性不透水シート材と前記幅方向に沿って全辺に亘り接合され、当該第１，第３の柔軟性不透水シート材によって前記第１の袋体を含む第２の袋体が形成され、前記第１の柔軟性不透水シート材の表面側には、柔軟性を有する紙製の緩衝部材が配設されていることを特徴とするものである。
【０００９】
ここで、前記第１，第２，第３の３枚の柔軟性不透水シート材は、該柔軟性不透水シート材と同じ幅の帯状の柔軟性不透水シート材にその長さ方向に沿って前記第１，前記第３，前記第２の順で順次連続して形成されており、前記ペット用汚物収納袋は、前記帯状の柔軟性不透水シート材を、前記第１の柔軟性不透水シート材の前記緩衝部材が配設されている面が表面側となるように、前記第２の柔軟性不透水シート材を前記第３の柔軟性不透水シート材に重なるように折り畳み、当該折り畳んだ前記第２の柔軟性不透水シート材の上に重なるように前記第１の柔軟性不透水シート材を折り畳んだ状態で、当該３枚の柔軟性不透水シート材の前記側辺部が全て接合されることによって形成されていてもよいし、さらに、前記柔軟性不透水シート材は、焼却炉によって焼却処分が可能な成分の材料によって構成されていてもよい。
【考案の効果】
【００１０】
本考案によれば、スコップ等の他の器具を用いずにペットの汚物処理を不快感を伴うことなく行なうことができるとともに、運搬等の廃棄過程においても収納してある汚物が外部に露出しないペット用汚物収納袋を提供することができる。
【図面の簡単な説明】
【００１１】
【図１】本考案の実施例１の構成を示す斜視図である。
【図２】本考案の実施例１の製造方法の説明図である。
【図３】本考案の実施例１の使用方法の説明図である。
【図４】本考案の実施例１の使用方法の説明図である。
【図５】本考案の実施例１の使用方法の説明図である。
【図６】従来のペットの汚物処理方法の説明図である。
【図７】従来のペットの汚物処理方法の説明図である。
【図８】従来のペットの汚物処理方法の説明図である。
【図９】従来のペットの汚物処理方法の説明図である。
【図１０】従来のペットの汚物処理方法の説明図である。
【図１１】従来のペットの汚物処理方法の説明図である。
【考案を実施するための形態】
【００１２】
以下、図面を用いて本考案の実施例を説明する。
【実施例１】
【００１３】
図１（ａ），（ｂ）は、本考案の実施例１の構成を示す構成図であり、（ａ）は斜視図、（ｂ）はその断面構成を示した図である。図１（ａ）において、Ｘは汚物収納袋１０の幅方向を示し、Ｙは長さ方向を示している。
【００１４】
図１（ａ），（ｂ）に示したように本実施例１に係る汚物収納袋１０は、第１の柔軟性
不透水シート材（以下、単に「シート材」という）１，第２のシート材２，第３のシート
材３という３枚のシート材によって構成されている。
【００１５】
３枚のシート材１，２，３は、同一の幅を有しており、また略同じ長さを有している。
【００１６】
３枚のシート材１，２，３は、それぞれの幅方向Ｘの両端に位置する側辺部が、互いに
一致するように重ねられた状態で接合されており、この３枚のシート材が接合された側辺
部が、汚物収納袋１０の側辺部１０ａ，１０ｂを形成している。
【００１７】
また、シート材３の長さ方向Ｙの一端側３ａが、これと対向しているシート材２と幅方向Ｘに沿って全辺に亘って接合されている。
【００１８】
このように本実施例１では、第３のシート材３と第２のシート材２によって第１の袋体
５が構成されている。
【００１９】
さらに、シート材３の長さ方向Ｙの他端側３ｂが、これと対向しているシート材１と幅方向Ｘに沿って全辺に亘って接合されている。
【００２０】
このように本実施例１では、第３のシート材３と第１のシート材１によって、第１の袋体５を含む第２の袋体６が構成されている。
【００２１】
ここで、第１のシート材１の表面側には、柔軟性を有する紙製の緩衝部材４が配設されている。この緩衝部材４は、柔軟性を有する紙製であればどのような構成のものでもよく、例えば、所謂「キッチンペーパー」のように柔軟性を有する厚手の紙にエンボス加工を施したようなもので構成してもよいし、また、ティシュペーパーのように柔軟性を有する薄手の紙を複数枚重ねた状態のものであってもよい。
【００２２】
このように構成された本実施例１は、以下のようにして簡単に製造することができる。
【００２３】
すなわち、図２（ａ）に示したように、シート材１，２，３と同一の材質の同じ幅を有する帯状のシート材を用いて、この帯状のシート材の長さ方向に沿ってシート材１〜３をシート材１，シート材３，シート材２の順で順次連続して割り当てて、シート材１の一面側に緩衝部材４を予め配設しておく。
【００２４】
次に図２（ｂ）に示したように、シート材１の緩衝部材４が表面側となるように、先ずシート材２をシート材３に重なるように折り畳み、この折り畳まれたシート材２の上に重なるようにシート材１を折り畳む。
【００２５】
このように折り畳まれた状態で、図２（ｃ）に示したように３枚のシート材１〜３の両側辺部１０ａ，１０ｂを熱融着等の方法により全て接合する。このようにして本実施例１は簡単に製造することができる。
【００２６】
以上のように構成された本実施例１の使用方法を図面を用いて以下に説明する。
【００２７】
先ず、ペットの汚物を処理する場合、使用者は図３（ａ）に示したように、シート材１とシート材２との間の開口部から手の平が緩衝部材４の方向に向くように一方の手Ｈを汚物収納袋１０に挿入する。
【００２８】
次に、図３（ｂ）に示したように緩衝部材４が汚物Ｄに接触するようにして、図３（ｃ）に示したように汚物Ｄをシート材１および緩衝部材４を介して手Ｈで掴む。
【００２９】
すなわち、図４に示す模式図で説明すれば、図４（ａ）に示した構成の汚物収納袋１０に手Ｈを挿入して図４（ｂ）示したような状態で手Ｈで汚物Ｄを掴む。このように汚物Ｄを一方の手Ｈで掴んだ状態で、使用者は他方の手でシート材２，３を共に裏返して図４（ｃ）に示した状態にして汚物Ｄを掴んでいる手Ｈを汚物収納袋１０から離す。このような図４（ｃ）に示した状態で使用者は両手を用いてシート材２を裏返しにして汚物収納袋１０を図４（ｄ）に示した状態にする。この状態の断面斜視図を図５（ａ）に示す。
【００３０】
図５（ａ）に示したように、このような状態においては、汚物Ｄは完全に汚物収納袋１０に収納されており外部に出ることはない。さらに、汚物Ｄが収納されている汚物収納袋１０の内部の空間は外部に対して閉じられておらず外部との通気が可能であるので、この状態で汚物収納袋１０が圧迫されても汚物収納袋１０は破裂するようなことはなく従って汚物Ｄが外に露出するようなことはない。
【００３１】
ここで、汚物収納袋１０を構成する柔軟性不透水シート材を、自治体の条例などによって定められた焼却炉によって焼却処分が可能な成分の材料によって構成しておけば、図５（ｂ）に示したように、家庭の生ゴミを収納してあるゴミ箱１１に汚物Ｄを収納した汚物収納袋１０を廃棄することができる。
【符号の説明】
【００３２】
１，２，３  柔軟性不透水シート材
３ａ  一端側
３ｂ  他端側
４  緩衝部材
５  第１の袋体
６  第２の袋体
１０  汚物収納袋
１０ａ，１０ｂ  側辺部
１１  ゴミ箱
Ｂ  袋
Ｄ  汚物
Ｈ，Ｈ１，Ｈ２  手
Ｍ  飼い主
Ｐ  ペット
Ｓ  スコップ
Ｔ  ティシュペーパー
Ｘ  幅方向
Ｙ  長さ方向
【図１】
0003171086.tif 000003
【図２】
0003171086.tif 000004
【図３】
0003171086.tif 000005
【図４】
0003171086.tif 000006
【図５】
0003171086.tif 000007
【図６】
0003171086.tif 000008
【図７】
0003171086.tif 000009
【図８】
0003171086.tif 000010
【図９】
0003171086.tif 000011
【図１０】
0003171086.tif 000012
【図１１】
0003171086.tif 000013